Podtech/llm-jp-corpus-v4-ja_patent huggingface dataset:
(57)【要約】【課題】  抗菌性と防ダニ性の両方兼ね備えたガラス組成物と、これを利用した樹脂組成物や繊維組成物を提供する。【解決手段】  重量％でＢ２Ｏ３が５５〜８０％、ＳｉＯ２が５〜２５％、ＭｇＯ、ＣａＯ及びＡｌ２Ｏ３から選ばれた１種又は２種以上が０．１〜２０％、Ｋ２Ｏ、Ｎａ２Ｏ及びＬｉＯ２から選ばれた１種又は２種以上が５〜２０％、Ａｇ２Ｏが０．０１〜１．０％のガラス組成物である。これにより、１種類の複合的なガラス組成物の添付で抗菌防ダニ効果が得られ、また、添加量も少なくて済む。 【特許請求の範囲】
【請求項１】
重量％でＢ２Ｏ３が５５〜８０％、ＳｉＯ２が５〜２５％、ＭｇＯ、ＣａＯ及びＡｌ２Ｏ３から選ばれた１種又は２種以上が０．１〜２０％、Ｋ２Ｏ、Ｎａ２Ｏ及びＬｉＯ２から選ばれた１種又は２種以上が５〜２０％、Ａｇ２Ｏが０．０１〜１．０％の抗菌性及び防ダニ性付与用ガラス組成物。
【請求項２】
請求項１記載のガラスス組成物を樹脂に０．１〜５０重量％練り込んだ抗菌防ダニ性樹脂組成物。
【請求項３】
請求項２記載の樹脂がナイロン、アクリル、ポリエステル、ポリオレフィンのいずれかである抗菌防ダニ性繊維組成物。  
【発明の詳細な説明】
【技術分野】
【０００１】
この発明は抗菌性と防ダニ性を有する複合的なガラス組成物、及びそれを用いた抗菌防ダニ性樹脂組成物並びに抗菌防ダニ性繊維組成物に関する。
【背景技術】
【０００２】
従来、抗菌製品としては抗菌剤、例えば無機系抗菌剤であれば、銀を担持したリン酸ジルコニウム、銀ゼオライト、溶解性ガラス等を樹脂に練りこんだものがある（特許文献１）。また、防ダニ製品としては有機系の薬剤、無機系であれば硼酸を主成分としたガラスを樹脂に練り込んだもの（特許文献２）がある。
【０００３】
【特許文献１】特開平６−１８１６７３号公報
【特許文献２】特開平９−１４３０１８号公報
【発明の開示】
【発明が解決しようとする課題】
【０００４】
しかしながら、抗菌性と防ダニ性の両方を求める場合、それらをともに使用する必要があり、添加が面倒であるとともに、添加量も増える欠点がある。
【課題を解決するための手段及び発明の効果】
【０００５】
この発明は、重量％でＢ２Ｏ３が５５〜８０％、ＳｉＯ２が５〜２５％、ＭｇＯ、ＣａＯ及びＡｌ２Ｏ３から選ばれた１種又は２種以上が０．１〜２０％、Ｋ２Ｏ、Ｎａ２Ｏ及びＬｉＯ２から選ばれた１種又は２種以上が５〜２０％、Ａｇ２Ｏが０．０１〜１．０％の抗菌性及び防ダニ性付与用ガラス組成物であることを特徴とする。
【０００６】
また、請求項１記載のガラスス組成物を樹脂に０．１〜５０重量％練り込んだ抗菌防ダニ性樹脂組成物とすることができる。
【０００７】
さらに、請求項２記載の樹脂がナイロン、アクリル、ポリエステル、ポリオレフィンである抗菌防ダニ性繊維組成物とすることもできる。
【発明を実施するための最良の形態】
【０００８】
本発明の特徴は、従来抗菌防ダニ性を得ようとするとそれぞれの材料を添加する必要があったが、両者をあわせもった材料のため一種のみの添加ですむ。また、抗菌性と防ダニ性の両者を提供する材料であるため、添加剤の量を少なくすることが可能となる。
【０００９】
また、ガラス組成物として、ガラス中に取り込まれた抗菌性を示す銀成分と、ガラスを形成する（ガラスの主成分）防ダニ性を示す硼素成分の溶出を同時に制御する組成物を提供することができる。
【００１０】
次に組成限定の意義を説明をする。
Ｂ２Ｏ３：ガラス形成、防ダニ成分として必須な成分である。８０％以上では、溶出速度が速くなり防ダニ効果の持続性に欠ける。５５％以下では絶対量が不足することにより、防ダニ効果が期待できない場合がある。好ましくは６０〜７０重量％である。
【００１１】
ＳｉＯ２：ガラス化を容易にするとともに、硼素および銀の溶出を制御する。５％以下ではそれぞれの溶出速度が速くなり抗菌防ダニ効果の持続性に欠ける。２５％以上ではそれぞれの溶出速度が遅くなり効果が期待できない場合がある。好ましくは、１０〜２５％、さらに好ましくは１０〜２０重量％である。
【００１２】
ＭｇＯ＋ＣａＯ＋Ａｌ２Ｏ３：抗菌成分である銀と防ダニ成分である硼素の溶出速度を最適な範囲にするための成分である。０．１％以下ではそれぞれの溶出速度が速くなり抗菌防ダニ効果の持続性に欠ける。２０％以上ではそれぞれの溶出速度が遅くなり効果が期待できない場合がある。好ましくは０．１〜１０重量％、さらに好ましくは４〜１０重量％である。また、さらに好ましくはＭｇＯ＋ＣａＯとして６〜１０重量％含むことである。
【００１３】
Ｋ２Ｏ＋Ｎａ２Ｏ＋ＬｉＯ２：主にガラス化を容易にするための成分である。５％以下ではガラス化が困難な場合がある。２０％以上では抗菌性を示す銀がこのガラスを樹脂に練り込んだときに黄変することがあり好ましくない。好ましくは５〜１５重量％、さらに好ましくは７〜１２重量％である。
【００１４】
Ａｇ２Ｏ：抗菌性を示す必須成分である。０．０１％以下では抗菌性が期待できない場合がある。１．０％以上ではこのガラスを樹脂に練り込んだときに黄変することがあり好ましくない。好ましくは０．０２〜０．２重量％である。
【実施例１】
【００１５】
Ｂ２Ｏ３、ＳｉＯ２、Ａｌ２Ｏ３、ＭｇＯ、ＣａＯ、Ｎａ２Ｏ、Ａｇ２Ｏを表１に示す各組成比（重量％）にて混合し、これを電気炉にて１２５０〜１３５０℃で１時間溶融した。その後、電気炉から取り出し、カーボン板上に流し出して放冷した。その後、ロールクラッシャー、ボールミルを用いて平均粒径が約２μmとなるように粉砕し、抗菌防ダニ性ガラス組成物を得た。
【００１６】
【表１】
2005029451.tif 000002
【００１７】
このようにして得られたガラス組成物をポリエステル樹脂に対し２０重量％になるように添加し、二軸押出機にて樹脂組成物として、マスターバッチを作製した。その後最終濃度が１重量％になるように常法により紡糸、延伸して繊維組成物として、１２０デニール／３６フィラメントのポリエステル繊維を作成した。
【００１８】
上述のように作成したものを試料として、次のような抗菌並びに防ダニ試験を行った。
抗菌試験：ＪＩＳ  Ｌ  １９０２に基づいて実施した。
抗菌性の評価結果について、ＪＩＳ  Ｌ １９０２：２００２（２００２年度版）に基づいて、表２に静菌活性値が２．２以上のとき○で表し、２．２未満のとき×で表した。
【００１９】
【表２】
2005029451.tif 000003
【００２０】
防ダニ試験：防ダニ加工製品協議会の定める増殖抑制試験基本マニュアルに基づいて実施した。
容量３０ｍｌの管瓶に検体を１ｇ入れ、ケナガコナダニ４２匹を含む培地０．１ｇを均一にばらまき、２５℃、７５％ＲＨ中に２週間放置後、ダニを洗い出し顕微鏡下で生きダニを計数した。
防ダニ性の評価結果について、防ダニ加工製品協議会の定める増殖抑制試験基本マニュアルに基づいて、表２に増殖抑制率が５０％以上のとき○で表し、５０％未満のとき×で表した。
【００２１】
ガラスサンプルＣを用いたものは銀を含んでいないため抗菌性が得られなかった。
ガラスサンプルＤを用いたものは銀の量が多すぎ、変色が著しく、外観上好ましくないと判断した。
(57)【要約】【課題】牛乳等の飲料が充填されている容器は、リサイクルの視点から、使用後に洗浄・解体し、分別廃棄することが要求されているが、従来の牛乳パックは、はさみなどの道具を用いなければ、これを解体することができなかった。【解決手段】牛乳パック本体１に、水密性を保持したミシン目などを用いて、はさみなどの道具を用いずに、破ることによって解体できる切り取り線を設ける。例えば、底面に隣接する３つの側面で連続して底面に平行に打たれた切り取り線２と、さらに連続して、他の側面で底面に直行して打たれた切り取り線３である。【選択図】図１
2005029212.tif 000002
【特許請求の範囲】
【請求項１】
パッケージ側面に、はさみなどの道具を用いずに、破ることによって解体できる切り取り線を設けたことを特徴とする牛乳パック。
【請求項２】
パッケージ側面に、はさみなどの道具を用いずに、破ることによって解体できる切り取り線を設け、この切り取り線は底面に隣接する３つの側面で連続して底面に平行に打たれ、さらに連続して、他の側面で底面に直行して打たれたミシン目であることを特徴とする請求項１記載の牛乳パック。
【発明の詳細な説明】
【技術分野】
【０００１】
この発明は、牛乳等の飲料を充填する容器の形状に関する。
【背景技術】
【０００２】
従来の牛乳等の飲料を充填する容器の形状は、図８に示すように、特に使用後の解体を意識した構造を保有していない。
【発明の開示】
【発明が解決しようとする課題】
【０００３】
しかしながら、牛乳等の飲料が充填されている容器は、リサイクルの視点から、使用後に洗浄・解体し、分別廃棄することが要求されている。
そこで、この発明は、分別廃棄を容易にするために、使用後にはさみなどの道具を用いずに解体できる容器を提供することを課題とする。
【課題を解決するための手段】
【０００４】
以上の課題を解決するために、請求項１の第一発明は、容器側面に、はさみなどの道具を用いずに、破ることによって解体できる切り取り線を設けたことを特徴とする牛乳パックである。
また、請求項２の第二発明は、容器側面にはさみなどの道具を用いずに解体することのできる切り取り線を設け、この切り取り線は底面に隣接する３つの側面で連続して底面に平行に打たれ、さらに連続して、他の側面で底面に直行して打たれたミシン目であることを特徴とする牛乳パックである。
【発明の効果】
【０００５】
第一発明、または第二発明によれば、牛乳パックにはさみなどの道具を用いずに、破って解体できる切り取り線を設けたので、使用後に洗浄・解体し、分別廃棄することが容易にできる。
【発明を実施するための最良の形態】
【０００６】
この発明の一実施形態を、図１に示す。
牛乳パックの本体１は防水加工をされた紙製品であり、この本体の底面に隣接する３つの側面で連続して底面に平行に、ミシン目をもちいた切り取り線２が設けられている。このミシン目に沿って容器を破ることによって、牛乳パックははさみなどの道具を用いずに底面を展開し平坦に折り畳んだ状態（図２）にすることが可能になる。
また、底面に直行した側面に、ミシン目を用いた切り取り線３が設けられている。このミシン目に沿って容器を破ることによって、牛乳パックははさみなどの道具を用いずに平面に展開した状態（図３）にすることが可能になる。
切り取り線の実施形態を、図４、図５に示す。
切り取り線は、二重のミシン目の構造（図４）や、所定の間隔をおいて２本のほぼ平行な切り取り線（図５）を用いることによって、より確実に破ることが可能になる。
防水性と強度を保った、切り取り線の実施形態を、図６、図７に示す。
切り取り線は、切り取り線の内側に合成樹脂被膜や金属薄膜６を設けること（図６）や、防水加工をされた紙を貫通させない切り取り線７を用いること（図７）により、水密性と強度を維持することが可能になる。
【０００７】
「実施形態の効果」
この実施形態によれば、はさみなどの道具を用いずに、破ることによって牛乳パックを解体できる。したがって、リサイクルの分別廃棄が容易に実施できる。
【０００８】
「他の実施形態」
図１の実施形態では、切り取り線はミシン目であったが、容器の強度ならびに輸送の効率を考慮し、切り取り用糸の埋めこみや、剥がしやすい接着面の設定によって行なってもよい。
【図面の簡単な説明】
【０００９】
【図１】この発明の一実施形態を示す斜視図である。
【図２】底面を展開し、牛乳パックを平坦に折り畳んだ状態である。
【図３】牛乳パックを平面に展開した状態である。
【図４】二重のミシン目構造による切り取り線である。
【図５】所定の間隔をおいて２本のほぼ平行な切り取り線を設けた状態である。
【図６】水密性を確保するために、切り取り線の内側に合成樹脂被膜を設けた牛乳パックの、横方向断面図である。
【図７】水密性を確保するために、防水加工をされた紙を貫通させない切り取り線の切れこみをいれた牛乳パックの、横方向断面図である。
【図８】従来技術を示す斜視図である。
【符号の説明】
【００１０】
１  牛乳パック本体
２  底面に隣接する３つの側面で連続して底面に平行に打たれたミシン目による切り取り線
３  底面に直行して打たれたミシン目による切り取り線
４  二重構造のミシン目
５  切り取り線の入った、牛乳パック外壁面
６  切り取り線の設けられた牛乳パック壁面内側に貼られた、合成樹脂皮膜もしくは金属薄膜
７  貫通しない切り取り線の入った、牛乳パック壁面
【図１】
2005029212.tif 000003
【図２】
2005029212.tif 000004
【図３】
2005029212.tif 000005
【図４】
2005029212.tif 000006
【図５】
2005029212.tif 000007
【図６】
2005029212.tif 000008
【図７】
2005029212.tif 000009
【図８】
2005029212.tif 000010
(57)【要約】【課題】        容器中の材料を計量して，外部に取り出す為には、スプーンか計量カップ等を使用し計量するしか手段がなかった．容器中の材料を計量器具がなくても，確実に計量取り出しが出来，又内フイルム蓋全部剥がさずに済む為に、容器中の材料に対して塵や酸化を最小限に抑える事が出来る。【解決手段】    容器の内フイルム蓋３の内側に，袋状計量スプーン装置４を取り付け，内フイルム蓋３には計量した材料７を取り出せる様に，穴６を開けておき，又本蓋２が閉まった状態の時はフイルム蓋５が閉まる様にした。【選択図】      図１
2005029251.tif 000002
【特許請求の範囲】
【請求項１】
容器の内フイルム蓋内部部分に、計量用の袋状の計量フイルムを取り付け、容器の中の材料を計量して、外部に取り出せる様にした、内蓋フイルム計量スプーン装置。
【発明の詳細な説明】
【発明の詳細な説明】
【技術分野】
【０００１】本発明は、容器の中の材料等を、容器の内フイルム蓋の下に計量用の袋状スプーン装置を設け，内フイルム蓋には袋状計量スプーンより外部に，材料を取り出せるに様に穴を開けておき，本蓋を閉めた状態で容器全体を下向きにして、１回転させる事により，容器中の材料が定量、袋状計量スプーンに溜り容器を正常上向きに戻し，その後本蓋を開けて外部容器に定量取り出せる様にしたものである。
また，本発明は，定量の計量装置なので，他の計量器を必要としない。
【背景技術】
【０００２】従来は容器の材料を取り出す為に，スプーンあるいは計量カップ等を使用して，計量が必要であり不便性があった。
【発明を実施するための最良の形態】
【０００３】本発明は，容器内の材料取り出しを，容器の本蓋を閉めた状態で，下向きにして１回転することで，簡単に材料を定量計量して取り出せる様にしたものである。
それを図面で説明すれば，容器内の材料７を計量して取り出す為に、フイルム蓋３の内部に袋状計量スプーン４を取り付け，フイルム蓋３に外部取り出し穴６を設けるものである。又本蓋２が閉まった状態では，フイルム蓋５で袋状計量スプーン装置に蓋をする様にしたものである。
【発明の効果】
【０００４】このようにすれば、容器から材料を取り出す時定量を取り出せ，又内部の材料にもフイルム蓋全体を取り除く必要もなく，内部の材料に対して塵及び酸化などを，最小限にすることが出来て便利である。
【図面の簡単な説明】
【図１】袋状計量スプーンと容器の断面図である。
【図２】容器の平面図である。
【符号の説明】
１  容器
２  本蓋
３  フイルム蓋
４  袋状計量スプーン装置
５  袋状計量スプーン蓋
６  材料外部取り出し穴
７  材料
【図１】
2005029251.tif 000003
【図２】
2005029251.tif 000004
(57)【要約】【課題】従来、ペットボトルはその携帯、携行時には片手で持ち歩く為すぐに体温で暖まったり、バッグやナップサックに入れその都度出し入れしていた。両手が使えない不自由、いちいち取出し、再度入れる、飲んだしづくでバッグ内の書類その他が汚れる等の多大な不具合が発生していた。【解決手段】従って、本発明は上記不具合を解決する手段としてキャップに図１の如くのホルダー継止部を一体形成させて、最近一般的になった身分証の携帯の如く首や肩に吊下げて歩けるようにし、キャップ開閉時の回転でひもがねじれない為の又、キャラクター商品等をキャップに意匠してその個性や商品価値を高める為、図３、図４の如くの工夫もこらした。【選択図】図１
2005029252.tif 000002
【特許請求の範囲】
【請求項１】
液体封入容器のキャップ頭上部に太鼓橋用のホルダー継止部を一体形成させた事を特徴とするホルダーホール付キャップ
【請求項２】
前記キャップの外形状を所謂、キャラクター商品や動物、アニメ等頭胸部に形成した事を特徴とするキャラクターホルダーホール付キャップ
【請求項３】
ドーナッツ様ベアリング構造体に一端を球形にしもう一端に穴を形成したホルダー回転シャフトを通過設置させ該ドーナツ様ベアリング構造体を通した該シャフトの球形端を包み込むように該ベアリング構造体に一体形成させた概三角支持体とし該頭頂部にリングを構成し該リングに吊下げひもを適便継止し又シャフトリング端にホルダー金具を装備させたことを特徴とする回転式キャップホルダー
【請求項４】
前記請求項３の吊下げひもホルダー金具の吊下げ部に前記回転式キャップホルダー又は一般ホルダー金具を複数個装備させた事を特徴とする多目的型吊下げひも金具
【請求項５】
平板又は線材の金属又は樹脂でその形状をリング吊上部及び該吊上部と一体となる釣り針歯部を中央垂直線より外側に傾斜させて構成し該歯部先端を内側に１８０°巻き戻すか楕円塊に形成し該歯部先端部内側に至るリング吊部の結合首部より直線的なバネ材を導き該接続部を吊下げ部のバネ開閉体とした事を特徴とするホルダーキャップ用フック
【発明の詳細な説明】
【産業上の利用分野】
【００１】本発明は現在つとに市場性をおびた特には中、小型のペットボトル携帯携行分野に関する。
【背景技術】
【００２】従来のペットボトルのキャップはその容器本体の材質に係わりなく内側にら線突起を施させた円筒様のものであり携帯すべき利便特性は容器本体にも該キャップにも何ら存在しなかった。
【解決すべき課題】
【００３】従って、携帯者はナップサックやバッグから取出して飲むか、片手で持ち歩いくか特性の袋様ケースに入れて携行していた。
【解決手段、作用、効果】
【００４】従って、本発明は上記の如き携帯携行時の不具合を解消して簡易水筒の如くの機能性、利便性を持たせる為従来のキャップの頭平部に図１の如く太鼓橋様の中空の継止部を一体装備させてある。
【００５】従って、該継止部の穴にひも付きホルダー金具を装備させ又は直接吊下げひも等を通して継止することができその吊下げひもを肩、又は首から下げて従来の水筒やジャーの如く携帯、携行することができる。
【００６】又、本発明請求項３の回転式キャップホルダーによれば吊下げたまま片手で通常の如くキャップを回転させて開閉させることができる。
【００７】従って、この状態は寧ろ通常の水筒の開けた蓋を片手で持ちながら飲むよりもはるかに便利である。
【００８】又、両手が自由になり、新聞や雑誌、本を読んだり買い物を楽しんだり、自由な行動ができる事になる。
【００９】本請求項４に於けるホルダーキャップ用フックについて見ると図のようにその歯部１２が中央垂直線１１よりも外側に傾斜しているのとちょうど出歯のように吊下げ部弾性開閉体１４との間に隙間があるのですこぶる簡便にホルダー継上部２に通過保持することができる。
【実施例】
【００１０】図１を参照するに通常の樹脂等からなるキャップの頭に太鼓橋様のホルダー継止部２を一体形成してある。【００１１】図２について参照するにいわゆるキャラクター商品等の頭胸部にホルダー継止部２を装備させそこに本発明請求項３の回転式キャップホルダー９に吊下げひも７を装備させてある。また回転式キャップホルダー９はベアリング構造体４とそこを通過回転するホルダー回転シャフト５は上端部を球状に下端部に穴を形成してある、又ベアリング構造体４と一体形成されてこれらを保持し且つ吊下げひも７を継止するための回転支持体リング１０をその頭頂部に形成してある三角支持体６及び回転シャフト下端に継止されるホルダー金具８よりなる。【００１２】図３を見るに中央垂直線にそって吊上リング部１５その下に釣り針形吊下部１６を一体構成している又その釣り針形吊下部の歯部１７先端を内側に１８０°巻き戻して歯部先端塊１８として使用時の安全性と非可塑性を高めている。
【図面の簡単な説明】
【図１】本発明の基本をなすホルダーホール付キャップの側面図である。
【図２】ホルダーホール付キャップの平面図である。
【図３】本発明請求項２及び３のキャラクターホルダーホール付キャップと回転式キャップホルダーの一体時正面図である。
【図４】ホルダーキャップ用のフックの側面図である。
【符号の説明】
１．  キャップ本体  ２．  ホルダー継止部  ３．  キャラクターホルダーホール付キャップ  ４．  ベアリング構造体  ５．  ホルダー回転シャフト  ６．  三角支持体  ７．  吊下げひも  ８．  ホルダー金具  ９．  回転式キャップホルダー１０．  回転支持体リング１１．  中央垂直線１２．  歯部１３．  歯先端楕円塊部１４．  バネ開閉体１５．  吊上リング部１６．  釣り針形吊下部１７．  歯部１８．  歯部先端塊
【図１】
2005029252.tif 000003
【図２】
2005029252.tif 000004
【図３】
2005029252.tif 000005
【図４】
2005029252.tif 000006
(57)【要約】【課題】  飲料の瓶及び缶に嵌合させて使用するのみ口は、瓶の内径の違いに合わせるため、複数の呑み口が必要とされていた。また、瓶用と缶用の呑み口が各々専用であるため、複数の呑み口が必要とされ、合理性に欠けていたので、これらの欠点を取り除く必要があった。【解決手段】  呑み口本体の瓶との嵌合部は瓶の外径に被せる形式をとり、嵌合部に柔軟性及び密着性のある素材を用い、切れ込みを設けることにより、瓶の外径に嵌合できるようにする。  また、缶の外径に嵌合するサイズを持つ缶用アタッチメントを用意し、呑み口本体との接続口を設け、容易に着脱可能なものとする。  缶用アタッチメントの嵌合部には、外径の小さな缶との隙間を埋める補助リングを装着できるようにし、外径の異なる缶種に対応する。【選択図】なし【特許請求の範囲】
【請求項１】
呑み口本体、缶用アタッチメント、補助リングからなる、飲料用の缶及び瓶それぞれの形状に合わせて嵌合させて使用する呑み口。
【請求項２】
呑み口本体を瓶の外径部に嵌合させて使用する呑み口。
【発明の詳細な説明】
【技術分野】
【０００１】  本発明は、缶及び瓶飲料容器に嵌合させて飲料を飲みやすくする呑み口に関するものである。
【背景技術】
【０００２】  従来の呑み口においては、瓶の内径に嵌合させるものであったため、多種存在する内径の違う瓶に対応した呑み口が用意されていた。【０００３】  また、一つの呑み口で瓶、缶両用に使用できるものが無く、瓶、缶に対応する多種の呑み口が用意されていた。
【発明の開示】
【発明が解決しようとする課題】
【０００４】  瓶の内径の違いに合わせるため、複数の呑み口が必要とされていた。また、瓶用と缶用の呑み口が各々専用であるため、複数の呑み口が必要とされ、合理性に欠けていた。
本発明は、以上の欠点を解決するためになされたものである。
【課題を解決するための手段】
【０００５】  呑み口本体１の瓶嵌合部２は瓶の外径に被せる形式をとり、呑み口本体１に柔軟性及び密着性のある素材を用い、切れ込みを設けることにより、瓶の外径に嵌合できるようにする。【０００５】  また、缶の外径に嵌合するサイズを持つ缶用アタッチメント３を用意し、呑み口本体との嵌合部４を設け、容易に着脱可能なものとする。【０００６】  缶用アタッチメント３の缶嵌合部５には、外径の小さな缶との隙間を埋める補助リング６を装着できるようにし、外径の異なる缶種に対応する。
【発明の効果】
【０００７】  以上の呑み口本体１、缶用アタッチメント３、補助リング６一組により、多種多様な瓶及び缶に嵌合させることができ、また瓶、及び缶に直接口を付けることがなくなるので衛生的であり、飲料の呑み易さに優れる。
【発明を実施するための最良の形態】
【０００８】  呑み口本体１はお猪口型の呑み易い形状をとり、瓶嵌合部２までの樹脂成型とする。瓶嵌合部２には切れ込み部を設け、瓶装着時の柔軟性を持たせる。また、瓶嵌合部２内部にはパッキンとしてゴム類素材を嵌合させ、瓶との密着性を高める。【０００９】  缶用アタッチメント３は、呑み口本体１と同素材を用いて、呑み口本体との嵌合部４は呑み口本体１の瓶嵌合部２と咬み合う形状をとり、着脱が容易で且つ液漏れしない形状をとる。【００１０】  補助リング６は缶用アタッチメント３の缶嵌合部５内径と密着し、且つ小径缶の外径部と密着する軟性樹脂で形成するものとする。
【産業上の利用可能性】
【００１１】  呑み口本体１はマウスピースとして利用することにより、瓶嵌合部２に他アタッチメントを装着することにより、多種多様に利用できる。一例を挙げると、図５に示すように笛鳴動アタッチメント７を装着することにより一組の笛として使用することができる。
【図面の簡単な説明】
【００１２】
【図１】呑み口本体
【図２】缶用アタッチメント
【図３】補助リング
【図４】笛鳴動アタッチメント
【図５】呑み口本体と笛鳴動アタッチメントの接続時状態
【符号の説明】
【００１３】１  呑み口本体
２  瓶嵌合部
３  缶用アタッチメント
４  呑み口本体との嵌合部
５  缶嵌合部
６  補助リング
７  笛鳴動アタッチメント
【図１】
2005029248.tif 000002
【図２】
2005029248.tif 000003
【図３】
2005029248.tif 000004
【図４】
2005029248.tif 000005
【図５】
2005029248.tif 000006
(57)【要約】【課題】  上側面にキャップ付き注入口をつけた樹脂製ボトルを提供する。【解決手段】従来の樹脂製ボトルの上側面に開口部（１）を設け、開口部にはキャップ（２）を設ける。【選択図】  図１
2005029250.tif 000002
【特許請求の範囲】
【請求項１】
上側面にキャップを有する開口部（１）を設けた樹脂製ボトル。
【発明の詳細な説明】
【発明の詳細な説明】
【技術分野】
【０００１】  この発明は、シャンプーや液体洗剤などのつめかえ液を注入するための、注ぎ口が付いた樹脂製ボトルに関するものである。
【背景技術】
【０００２】  従来は、シャンプーなどのつめかえ液をボトルに注入するときは、専用の注ぎ口がなく、ボトルのノズル部分を外して、ノズルの挿入口からつめかえ液を注入していた。
【発明が解決しようとする課題】
【０００３】  そのために次のような問題点があった。
（イ）液を注入するとき、はずしたノズルを置いておく必要があるが、ノズルに付着している液が垂れて、ノズルを置いていた場所が汚れ、掃除をしなければならなかった。
（ロ）イの手間が面倒で、環境に配慮したつめかえ用液を購入しない人たちがいると推測され、ゴミの増量・資源の無駄使いになっている。
本発明は、これらの問題点を解決するためになされたものである。
【課題を解決するための手段】
【０００４】  従来の樹脂製ボトルの上側面に開口部（１）を設ける。開口部にはキャップ（２）を装着する。
本発明は、以上のような構成よりなる樹脂製ボトルである。
【発明を実施するための最良の形態】
【０００５】  以下、本発明の実施の形態について説明する。
（イ）シャンプーやリンス、ボディシャンプー、液体洗剤などの樹脂製ボトルの上側面に、樹脂製の円柱状の開口部（１）を設ける。
（ロ）開口部に樹脂製のキャップ（２）を設ける。
本発明は以上のような構造で、本ボトルにつめかえ用液を注入するときは、キャップ（２）をはずし、開口部（１）よりつめかえ液を注ぐ。
【発明の効果】
【０００６】  つめかえ液を注入するために、従来のようにノズル部分を取り外す必要がない。そのため、ノズル部分に付着している液が垂れることがなくなり、洗面所や風呂場などつめかえ作業を行った場所の掃除の手間がはぶける。また、従来よりつめかえ作業が容易である。
【図面の簡単な説明】
【図１】  本発明の正面図である。
【図２】  本発明の使用状態を示す斜視図である。
【符号の説明】
１  開口部、２  キャップ
【図１】
2005029250.tif 000003
【図２】
2005029250.tif 000004
(57)【要約】【課題】外出時の歯磨き等に使える様な、かさばらなく、常時ポケットに携帯できて且つ、取り扱い性の良いコップを提供すること。【解決手段】プラスチックフィルム製の底部にガゼット構造を有する、立設可能な容器の側面にその容器と同一素材の部材を溶着して取手を付けたコップを作る。【選択図】図−５
2005029249.tif 000002
【特許請求の範囲】
【請求項１】
プラスチックフィルム製或いはプラスチックフィルム金属箔ラミネート製で底部にガゼット構造を持つ、折りたたみ式立設可能なコップで、且つコップ側面にコップ本体と同様の部材を溶着し、コップ側面と共に環状となる取っ手として付けたことを特徴とするもの。
【発明の詳細な説明】
【発明の詳細な説明】
（発明の属する技術分野）
【０００１】家庭日用雑貨
（従来の技術）
【０００２】（発明考案が解決しようとする課題）
【０００３】外出先などで、歯磨きをしたい時に、携帯用の歯ブラシは種種あるが、その際に使うコップが携帯向きのものが無い。
紙コップなどは、比較的携帯に適しているがそれでもシャツのポケットに忍ばせる、というわけにはいかない。
本発明はその点の携帯性を極力改善しながら、取り扱い性も低下しない様にしたものである。
（発明考案が解決しようとする手段）
【０００４】プラスチックフィルム製或いは、プラスチックフィルム金属箔ラミネート製の底部にガゼット構造を有し折りたたみ構造の、立設（スタンド）出来るバッグを使いコップを形成するものである。
コップの側面に、コップを形成するものと同素材の柔軟性のある部材をその両端で溶着して、コップ側面を含めて環状の取手を形成する。
接着部の一例を図−８に示す。接着方法は熱融着、或いは接着剤使用等ある。
これにより使用時には、取手をつまんだり、図−１の様に指を通すことにより，コップをしっかりと保持することができる。
本発明品の特徴は、不使用時には図−２、図−３、図−４、の様に底部のガゼットを折りたたみ且つ取手部も平坦に折りたたむことにより、全体が薄いシート状になるのでかさばらず、ポケットに常時携帯可能となることである。
立設可能なことから、既存の紙コップの使用分野での代替が可能なことに加え携帯性が格段に向上しているので、外出先での、歯磨き、飲用、うがい、口すすぎ等と用途は非常に広いものがある。
（作用）
【０００５】（実施例及び効果）
【０００６】
【０００７】図−１
図−５
【図面の簡単な説明】
【図−１】
本発明品を使用している状態の略図
【図−２】
本発明品の折りたたんだ状態での正面図
【図−３】
本発明品の折りたたんだ状態での側面図
【図−４】
本発明品の折りたたんだ状態での側面図を厚さを誇張して表した図
【図−５】
本発明品の拡張した状態での側面図
【図−６】
本発明品の拡張した状態での正面図
【図−７】
本発明品の拡張した状態での平面図
【図−８】
本発明品の取手部の詳細を厚さを誇張して表した図
2005029249.tif 000003
2005029249.tif 000004
2005029249.tif 000005
2005029249.tif 000006
2005029249.tif 000007
2005029249.tif 000008
【手続補正書】
【提出日】平成15年10月15日(2003.10.15)
【手続補正１】
【補正対象書類名】図面
【補正対象項目名】全図
【補正方法】変更
【補正の内容】
【図−１】
2005029249.tif 000009
【図−２】
2005029249.tif 000010
【図−３】
2005029249.tif 000011
【図−４】
2005029249.tif 000012
【図−５】
2005029249.tif 000013
【図−６】
2005029249.tif 000014
【図−７】
2005029249.tif 000015
【図−８】
2005029249.tif 000016
(57)【要約】【課題】成形時の金型への付着が無く、成形後の集積においてシート同士の摩擦による磨耗紛の発生も無く、なおかつ成形後ポケットが金型から抜ける時に金型エッジ部分とポケット部分の擦れによる磨耗紛の発生がないＰＴＰ包装用多層シートを提供する。【解決手段】ポリ塩化ビニル層とポリ塩化ビニリデン層とコーティング層との少なくとも３層からなるＰＴＰ包装用多層シートのコーティング層が、ウレタン樹脂を配合したエチルセルロース樹脂を用い成形後ポケットが金型から抜ける時に金型エッジ部分とポケット部分の擦れによる磨耗紛の発生がないことを特徴とするＰＴＰ包装用多層シート。【特許請求の範囲】
【請求項１】
ポリ塩化ビニル層とポリ塩化ビニリデン層とコーティング層との少なくとも３層からなるＰＴＰ包装用多層シートであって、そのコーティング層にウレタン樹脂を配合したエチルセルロース樹脂を用いることを特徴とするＰＴＰ包装用多層シート。
【発明の詳細な説明】
【０００１】
【発明の属する技術分野】
本発明は、医薬品包装の分野で、固形剤包装用として一般に用いられているＰＴＰ（プレス・スルー・パック）包装用多層シートに関するものである。
【０００２】
【従来の技術】
医薬品包装の分野で、錠剤、カプセル剤等の固形剤包装用として一般に用いられているＰＴＰ包装は透明性、成形性、腰の強さ、コスト面から主に硬質ポリ塩化ビニルからなるシートを底材として用い、該底材をポケット形状に成形し、その中に固形剤（錠剤、カプセル剤など）を充填し、アルミ箔からなる蓋材で密封した包装体であり、１９６０年代前半に実用化され広く普及してきた。
【０００３】
内容物となる錠剤、カプセル剤等は水分の吸湿によって変質や変形を起こすものが大部分である。そのためポリ塩化ビニル単層シートでは防湿性に限界があり、より高防湿なＰＴＰ包装用シートとしてポリ塩化ビニル単層シートに防湿性の優れたポリ塩化ビニリデン樹脂をコーテングすることにより多層化したシートがＰＴＰ包装用シートとして使用されるようになった。
【０００４】
ところが、ＰＴＰ包装用多層シートとしてポリ塩化ビニリデン樹脂をコートしたシートは、ポリ塩化ビニルシートに比べ柔らかいため成形時の金型に付着しやすく、成形不良を発生させたり又ガイドロールからのピッチズレを起こし、錠剤の充填不良を発生させライン停止という不具合にいたることがある。
更に、通常成形後ＰＴＰ包装体は、ポケット部分を重ね合わせた状態で集積されアルミピロー包装されるが、その成形ポケット部分を重ね合わせた状態で運送及び保管した時にポリ塩化ビニリデン樹脂のコートした部分が擦れ合いポリ塩化ビニリデン樹脂が擦れピロー包装内にその磨耗紛が混入するという問題がある。
【０００５】
これらを解決するため、図１の包装体のポリ塩化ビニリデン樹脂層（３）の外側にエチルセルロース樹脂をコーティングすることによりポリ塩化ビニリデン樹脂層（３）をカバーして多層シートの表面硬度を増し金型への付着を減少させることが出来、また成形集積後のＰＴＰ包装体同士の擦れによる磨耗紛発生を押さえることが出来た。
しかしながら、エチルセルロース樹脂ではまだ硬度的な問題があり成形後ポケットが金型から抜ける時に金型エッジ部分とポケット部分の擦れによりエチルセルロース樹脂の磨耗紛が発生し、それが成形金型内に堆積する。ある程度堆積するとその磨耗紛が金型より剥離しシートに移行してしまいＰＴＰ製品内に異物として混入するという不具合が発生する。
ＰＴＰ包装を実施している製薬メーカーでは、そのようなことになる前にライン停止を行い金型の清掃を行っているのが現状である。
【０００６】
【発明が解決しようとする課題】
ＰＴＰ包装用多層シートの成形時の金型への付着が無く、成形後の集積においてシート同士の摩擦による磨耗紛の発生も無く、なおかつ成形後ポケットが金型から抜ける時に金型エッジ部分とポケット部分の擦れによる磨耗紛の発生がないＰＴＰ包装用多層シートを提供する。
【０００７】
【課題を解決するための手段】
本発明は、ポリ塩化ビニル層とポリ塩化ビニリデン層とコーティング層との少なくとも３層からなるＰＴＰ包装用多層シートであって、そのコーティング層にウレタン樹脂を配合したエチルセルロース樹脂を用いることを特徴とするＰＴＰ包装用多層シート、である。
【０００８】
【発明の実施の形態】
本発明に用いられるポリ塩化ビニル樹脂は、可塑剤を配合しない硬質ポリ塩化ビニル樹脂が望ましいし、又ポリ塩化ビニリデン樹脂及は特に指定はなく、いかなる重合方法により製造されたものでもよい。コーティング剤は、エチルセルロース樹脂にウレタン樹脂を配合したものを用いる。またウレタン樹脂について特に指定はなくいかなる重合方法により製造されたものでもよい。
＜実施例１＞
スミライトＶＳＬ−４５０１（ポリ塩化ビニル  ０．２３ｍｍ／ポリ塩化ビニリデン０．０２ｍｍ）（住友ベークライト製）のポリ塩化ビニリデン側にコーティング剤としてエチルセルロース（１００ｗｔ％）＋ウレタン（４０ｗｔ％）を４ｇ／ｍ２をコーティングマシーンを用い塗布した後、乾燥させた。
＜比較例１＞
スミライトＶＳＬ−４５０１（ポリ塩化ビニル  ０．２３ｍｍ／ポリ塩化ビニリデン０．０２ｍｍ）（住友ベークライト製）のポリ塩化ビニリデン側にコーティング剤としてエチルセルロース単体を４ｇ／ｍ２コーティンマシーンを用い塗布した後、乾燥させた。
【０００９】
それぞれの得られたシートを下記の評価を実施した。
１．磨耗量
試験方法：テーバー磨耗試験機  ２５回転／５０回転による磨耗量測定
磨耗輪  ：ＣＳ−１０Ｆ
2005029205.tif 000002
２．曇度
試験方法：ＪＩＳＫ７１０５
評価基準：６以下
３．成形テスト
以下の層構成のラミネートシートを作成し、それぞれを２００ｍｍ幅にスリットを行い
テスト用サンプルを作成しＰＴＰ用成形機において連続成形テストを行う。
2005029205.tif 000003
評価方法：１コイル（２５０ｍ）成形実施後のコーティング層からの磨耗紛発生量測定
評価基準：磨耗紛発生量が５ｇ以下であること。
【００１０】
【表１】
2005029205.tif 000004
【００１１】
【発明の効果】
本発明に従うと、成形時の金型への付着が無く、成形後の集積においてシート同士の摩擦による磨耗紛の発生も無く、なおかつ成形後ポケットが金型から抜ける時に金型エッジ部分とポケット部分の擦れによる磨耗紛の発生がないＰＴＰ包装用多層シートを提供することが出来た。
【図面の簡単な説明】
【図１】ＰＴＰ包装形態
【符号の説明】
１：ポリ塩化ビニル層
２：ポリ塩化ビンリデン層
３：コーティング層
４：錠剤
５：アルミシール蓋材
【図１】
2005029205.tif 000005
(57)【要約】【課題】  堅牢で、落ち着いた自然な色調を有す、鉄媒染染色による毛髪の実用可能な染色方法の提供。【解決手段】  毛髮を、遊離酸の形で−般式（１）で表されるモノアゾ染料を含有するｐＨ２〜４．５の組成物で処理した後、鉄塩の水溶液からなる媒染液により鉄媒染することを特徴とする毛髮の染色方法。2005029550.tif 000008〔上記式中、Ｘ１およびＸ２は水酸基またはアミノ基であり、Ｙは水素、アミノ基、ニトロ基、塩素、フッ素、または炭素数１〜５のアルキル基である。Ｚ１は水素、アミノ基、ニトロ基、塩素、フッ素、または水酸基である。Ｚ２は水素、塩素、フッ素または炭素数１〜５のアルキル基である。〕【特許請求の範囲】
【請求項１】
毛髮を、遊離酸の形で一般式（１）で表されるモノアゾ染料を含有するｐＨ２〜４．５の組成物で処理した後、鉄塩の水溶液からなる媒染液により鉄媒染することを特徴とする毛髪の染色方法。
【化１】
2005029550.tif 000007
〔上記式中、Ｘ１およびＸ２は水酸基またはアミノ基であり、Ｙは水素、アミノ基、ニトロ基、塩素、フッ素、または炭素数１〜５のアルキル基である。Ｚ１は水素、アミノ基、ニトロ基、塩素、フッ素、または水酸基である。Ｚ２は水素、塩素、フッ素または炭素数１〜５のアルキル基である。〕
【請求項２】
鉄塩の水溶液として、硫酸第一鉄を溶解したものを使用する請求項１または請求項２に記載の毛髪の染色方法。
【発明の詳細な説明】
【技術分野】
【０００１】  本発明は毛髪の染色方法に関するものであり、さらに詳しくは、毛髮を特定のモノアゾ染料により鉄媒染染色する方法に関するものである。
【背景技術】
【０００２】  従来より、毛髪の染色においては酸性染料、あるいは酸化染料が主に使用されている。酸性染料は堅牢度が劣り、その色調も毛髮としては不自然な鮮明色である。−方、酸化染料はアミン類を含んでおり皮膚障害やアレルギーが発生することなどが問題となってきた。【０００３】
【特許文献１】  特開平７−８９８３１号
【特許文献２】  特開平５−８６３０４号
【特許文献３】  特開２００１−６４１３４号
【特許文献４】  特開２００２−３３８４４４号
【発明の開示】
【発明が解決しようとする課題】
【０００４】  本発明は、鉄媒染染色により、堅牢でアレルギー障害などが少なく、落ち着いた自然な色調を有す、毛髮の実用可能な染色方法を提供することを目的とする。
【課題を解決する為の手段】
【０００５】  上記目的達成のため到達した本発明は、毛髪を、遊離酸の形で−般式（１）で表されるモノアゾ染料を含有するｐＨ２〜４．５の組成物で処理した後、鉄塩の水溶液からなる媒染液により鉄媒染することを特徴とするものである。
【０００６】
【化１】
2005029550.tif 000002
Ｃ上記式中、Ｘ１およびＸ２は水酸基またはアミノ基であり、Ｙは水素、アミノ基、ニトロ基、塩素、フッ素、または炭素数１〜５のアルキル基である。Ｚ１は水素、アミノ基、ニトロ基、塩素、フッ素、または水酸基である。Ｚ２は水素、塩素、フツ素または炭素数１〜５のアルキル基である。〕
【０００７】  本発明においては、染料含有組成物のｐＨを２未満にすると毛髪の脆化が生じる恐れがある。
染液のより好ましいｐＨ値の範囲は、２．５〜３．５である。
【発明の効果】
【０００８】  本発明により、毛髪の湿潤堅牢度に優れ、衣服類への移染の恐れもない鉄媒染染色が可能となり、特に白髮染色に有用である。
【発明を実施するための最良の形態】
【０００９】  本発明の染料含有組成物は、毛髮への適用の仕方に応じてエタノール、ベンジルアルコールを含む溶液、エマルジョン、ゲルの形態として調製すれば良い。染色温度、媒染温度を４０℃程度に上げれば染色時間を短縮することができ、より良好な堅牢度が得られる。
染色終了後、ソーピング剤によるソーピングを行う。
本発明の鉄媒染方法は、毛髪の染色に好適に用いることができる。【００１０】  以下、実施例により具休的に本発明を説明する。
堅牢度試験と測定は以下の方法により行った。
汗アルカリ堅牢度・ＪＩＳ  Ｌ０８４８−１９９６（グレースケールで測定）
【実施例１】
【００１１】
【化２】
2005029550.tif 000003
白髪４ｇに対して、遊離酸の形で上記（２）の構造をもつ染料を０．５％ｏ．ｗ．ｆ．、エタノール１０ｃｃ、ベンジルアルコール５ｃｃを加え、乳酸水溶液により染浴をｐＨ３に調整し、浴比１０：１にて染浴を仕立て、２０℃で３０分間維持した後、取り出して水洗し、浴比１０：１の硫酸第一鉄１０％ｏ．ｗ．ｆ水溶液中に染色物を投入、攪拌する。更に１０分維持した後、被染物を染浴より取り出し、石鹸水にて軽く洗浄する。その後、水洗し、染色物を乾燥した。こうして得られた染色物は落ち着いた自然な色調の茶色に染まっており、良好な汗アルカリ堅牢度を有した。その結果を表１に示す。
【実施例２】
【００１２】
【化３】
2005029550.tif 000004
白髪４ｇに対して、遊離酸の形で上記（３）の構造をもつ染料を０．５％ｏ．ｗ．ｆ、エタノール１０ｃｃ、ベンジルアルコール５ｃｃを加え、乳酸水溶液により染浴をｐＨ３に調整し、浴比１０：１にて染浴を仕立て、２０℃で３０分間維持した後、取り出して水洗し、浴比１０：１の硫酸第−鉄１０％ｏ．ｗ．ｆ水溶液中に染色物を投入、攪拌する。更に１０分維持した後、被染物を染浴より取り出し、石鹸水にて軽く洗浄する。その後、水洗し、染色物を乾燥した。こうして得られた染色物は落ち着いた自然な色調の茶色に染まっており、良好な汗アルカリ堅牢度を有した。その結果を表１に示す。
【実施例３】
【００１３】
【化４】
2005029550.tif 000005
白髪４ｇに対して、遊離酸の形で上記（４）の構造をもつ染料を０．５％ｏ．ｗ．ｆ、エタノール１０ｃｃ、ベンジルアルコール５ｃｃを加え、乳酸水溶液により染浴をｐＨ３に調整し、浴比１０：１にて染浴を仕立て、２０℃で３０分間維持した後、取り出して水洗し、浴比１０：１の硫酸第一鉄１０％ｏ．Ｗ．ｆ．水溶液中に染色物を投入、攪拌する。更に１０分維持した後、被染物を染浴より取り出し、石鹸水にて軽く洗浄する。その後、水洗し、染色物を乾燥した。こうして得られた染色物は落ち着いた自然な色調の茶色に染まっており、良好な汗アルカリ堅牢度を有した。その結果を表１に示す。【００１４】  これらの実施例と比較するため、比較例として以下に示す実験をおこなった。
比較例１
白髪４ｇに対して、モノアゾタイプのｃ．Ｉ．Ｎｏ．Ａｃｉｄ  ｏｒａｎｇｅ  ７  をｏ．５％ｏ．ｗ．ｆ．、エタノール１０ｃｃ、ベンジルアルコール５ｃｃを加え、乳酸水溶液にょり染浴をｐＨ３に調整し、浴比１０：１にて染浴を仕立て、２０℃で３０分間維持した後、取り出して石鹸水にて軽く洗浄する。その後、水洗し、染色物を乾燥した。こうして得られたオレンジ色染色物の堅牢度結果を表１に示す。【００１５】比較例２
モノアゾタイプのＣ．Ｉ．Ｎｏ．Ａｃｉｄ  Ｏｒａｎｇｅ  ７を色素の主成分とする市販茶色用ヘアマニキュアを用いて、指定された染色方法にて白髪を染色する。染色後、石鹸水にて軽く洗浄する。その後、水洗し、染色物を乾燥した。
こうして得られた染色物の堅牢度結果を表１に示す。
【表１】
2005029550.tif 000006
(57)【要約】〔課題〕明細書に記載の純金を使用した金顔料を人体皮膚粘膜の保健用、状態改善用、医療用、治療用に使用すること。〔解決手段〕上記金顔料を明細書の実施例（０００７）項の（１）（２）（３）（４）（５）に記載した様に実施する。【選択図】なし【特許請求の範囲】
【請求項１】
上記金顔料を人体皮膚粘膜に保健目的で使用すること。
【請求項２】
上記金顔料を細磨し、グリセリン、蜂蜜に混合して人体皮膚粘膜の保健目的で使用すること。
【請求項３】
真菌等感染症の有る人体皮膚粘膜の治療用に使用すること。
【発明の詳細な説明】
【発明の詳細な説明】
【０００１】（１）上記金顔料は純金が使用されていて暗赤紫色の塊である。
（２）上記金顔料は製造工程に依り合金化した固溶体である。
（３）上記金顔料は人体皮膚粘膜に対して、抗菌、抗炎症、殺菌作用がある。
【技術分野】
【０００２】Ｃ０９Ｃ／Ａ６１Ｋ３１
【背景技術】
【０００３】
【特許文献１】特許出願公表  平成３−５０５５７２号
【非特許文献１】西暦１９０２年発行のゼーゲル文献。ドイツ人のゼーゲルＡ．ＳＥＲＧＥの遺稿として編集発行された釉下顔料の考察第２巻６５１に記載されている顔料の製造法。上記の日本語訳抜粋記事は窯技社発行の「釉調合の基本」が有る。著者名は加藤悦三氏で文面は２３３ページと２３４ページ、窯技社の住所は春日井市高蔵寺町２−１８１１  電話０５６８（５１）１８２９
【発明が解決しようとする課題】
【０００４】（１）人体皮膚粘膜の保健用に上記金顔料を使用する。
（２）真菌等の感染症に侵された人体皮膚粘膜の治療薬に使用する。
（３）喘息症状の咳、痰、に含嗽剤として上記の金顔料を使用する。
（４）眼のふち瞼の痒みに抗炎症用として上記金顔料を使用する。
【課題を解決するための手段】
【０００５】（１）（０００４）（１）（２）（３）（４）の項目において実験検証を実施する。
【発明を実施するための最良の形態】
【０００６】（１）上記の金顔料を製造する。製造法は以下の様にする。純粋なカオリン９０ｇを蒸留水に溶し煮沸して１００メッシュの篩に通して置き、それに純金１０ｇを硝酸：塩酸を比率１：３に混合した王水溶液で溶解し溶解液を湯煎上蒸発させて遊離酸を除き、篩通したカオリン泥に混合して炭酸ソーダを加え中和し混合物がアルカリ性になったのを確認して２０ｇのブドウ糖を加え１時間程蒸留水を加えながら煮沸すると紫色の物質が得られる。此れを蒸留水で洗い乾燥して９６０℃の高温で還元焼成すると金の合金化された固溶体の塊ができる、此れをグリセリン、天然蜂蜜の中で粉砕して金顔料ができる。呈色は濃い紫色。使用する材料は總て試薬用を用いる。
（２）（１）項の金顔料を（請求項１）（１）と（請求項２）（１）（２）に従い使用目的に合致する濃度にグリセリン、天然蜂蜜を追加して使用する。
【実施例】
【０００７】（１）（０００６）（１）（２）項の金顔料を正常な人体皮膚粘膜に保健用として付着させる。
（２）（０００６）（１）（２）項の金顔料を真菌等の感染症に侵された皮膚粘膜に付着させる。
（３）喘息症状で咳・痰が出る時に含嗽用に上記金顔料を使用する。
（４）眼のふち、瞼の痒み、に上記金顔料を使用する。
（５）此の人体実験に使用した人の皮膚粘膜はすべて出願者本人です。
【発明の効果】
【０００８】（１）（０００７）（１）の効果は抗菌・殺菌・抗炎症の作用で皮膚粘膜の保健に利用。
（２）の効果は真菌等感染症に依り侵された皮膚粘膜の不快感を除去し治ゆ出来る。
（３）の効果は喘息症状が消失する、又誤飲した時でも喘息症状は治る。此等に要する時間は数日で症状が改善され、約１ヶ月で治る。特に副作用は感じない。
（４）の効果は痒みの有る所へ極微量すり込む様に付着させると短時間で痒みは消失する。
（５）此の発明は（０００７）の各項目（１）（２）（３）（４）に於いて殆んど副作用を感ずる事無く効果を得ることが出来た。